(57)【要約】      （修正有）【課題】物品を任意の姿勢にして支持することができ、商品の展示等に非常に好適な物品支持装置を提供する。【解決手段】物品を支持する物品支持体１と、物品支持体１を保持するための保持体２と、保持体２に対する物品支持体１の角度を調整する角度調整手段３を備え、角度調整手段３が、物品支持体１への連結部１１Ａを有する第１連結具１１と、保持体２への連結部１２Ａを有し且つ第１連結具１１に対して角度調整可能に連結した第２連結具１２を備えている物品支持装置Ａ１とし、物品を任意の姿勢にして支持し得るものとした。【選択図】  図１
2006204544.tif 000002
【特許請求の範囲】
【請求項１】
物品を支持する物品支持体と、物品支持体を保持するための保持体と、保持体に対する物品支持体の角度を調整する角度調整手段を備え、角度調整手段が、物品支持体への連結部を有する第１連結具と、保持体への連結部を有し且つ第１連結具に対して角度調整可能に連結した第２連結具を備えていることを特徴とする物品支持装置。
【請求項２】
角度調整手段が、物品支持体に対して着脱自在であることを特徴とする請求項１に記載の物品支持装置。
【請求項３】
角度調整手段が、保持体に対して着脱自在であることを特徴とする請求項１又は２に記載の物品支持装置。
【請求項４】
角度調整手段が、第１及び第２の連結具を回動自在に連結する回動軸を備えると共に、第１及び第２の連結具に、回動軸の同心円上に配置したラチェット歯列と、ラチェット歯列に係合するラチェット爪を相対的に備えていることを特徴とする請求項１〜３のいずれかに記載に物品支持装置。
【請求項５】
角度調整手段が、第１及び第２の連結具の間に、ボール受けとこれに回動自在に係合する係合ボールとから成るボールジョイントを備えていることを特徴とする請求項１〜３のいずれかに記載の物品支持装置。
【請求項６】
物品支持体、保持体及び角度調整手段のうちの少なくとも物品支持体が、透明な材料で形成してあることを特徴とする請求項１〜５のいずれかに記載の物品支持装置。
【発明の詳細な説明】
【技術分野】
【０００１】
本発明は、物品支持装置に関し、とくに、ＰＯＰ用品として商品や広告等の物品の展示に用いるのに好適な物品支持装置に関するものである。
【０００２】
近年、商品やサービスの宣伝・広告を省スペースで行うことができ、消費者の購買意欲を喚起するためのものとして、いわゆるＰＯＰ用品が種々開発されており、その中の一つに、例えば商品や広告等の物品を展示するための物品支持装置がある。
【発明の開示】
【発明が解決しようとする課題】
【０００３】
ところで、従来の物品支持装置にあっても、様々なものが実用化されているが、広告類の表示は極めて多種多様であることから、この種の装置に対する要望が留まることはなく、展示機能を高めるうえでのさらなる開発が求められている。
【０００４】
本発明は、上記従来の状況に鑑みて成されたものであって、物品を任意の姿勢にして支持することができ、物品の展示機能を高めることができる物品支持装置を提供することを目的としている。
【課題を解決するための手段】
【０００５】
本発明の物品支持装置は、物品を支持する物品支持体と、物品支持体を保持するための保持体と、保持体に対する物品支持体の角度を調整する角度調整手段を備え、角度調整手段が、物品支持体への連結部を有する第１連結具と、保持体への連結部を有し且つ第１連結具に対して角度調整可能に連結した第２連結具を備えている構成としており、上記構成をもって従来の課題を解決するための手段としている。
【０００６】
また、本発明の物品支持装置は、より好ましい実施形態として、角度調整手段が、物品支持体に対して着脱自在であることを特徴とし、さらに、角度調整手段が、保持体に対して着脱自在であることを特徴とし、さらに、角度調整手段が、第１及び第２の連結具を回動自在に連結する回動軸を備えると共に、第１及び第２の連結具に、回動軸の同心円上に配置したラチェット歯列と、ラチェット歯列に係合するラチェット爪を相対的に備えていることを特徴とし、さらに、角度調整手段が、第１及び第２の連結具の間に、ボール受けとこれに回動自在に係合する係合ボールとから成るボールジョイントを備えていることを特徴としている。
【０００７】
そしてさらに、本発明の物品支持装置は、より好ましい実施形態として、物品支持体、保持体及び角度調整手段のうちの少なくとも物品支持体が、透明な材料で形成してあることを特徴としている。
【発明の効果】
【０００８】
本発明の物品支持装置によれば、商品の陳列棚や陳列ケース等の構造物に係止又は載置した保持体に対して、角度調整手段により物品支持体の角度を自在に調整し得るので、物品支持体で支持した物品の姿勢を自在に設定することができ、ＰＯＰ用品として非常に好適であると共に、商品や広告等の物品の展示機能をより高めることができる。
【０００９】
また、本発明の物品支持装置によれば、物品支持体及び保持体の少なくとも一方と角度調整手段とを着脱自在にしたことから、複数種類の物品支持体や保持体を用意して、これらを選択的に使用することにより、各種の物品や様々な展示形態に対応することが可能となり、物品の展示機能のさらなる向上を実現する。
【００１０】
さらに、本発明の物品支持装置によれば、第１及び第２の連結具がラチェット歯列及びラチェット爪を備えていることから、保持体に対する物品支持体の角度を段階的に調整することができると共に、耐荷重性も向上し、調整した角度を確実に維持して物品を安定して支持することができ、
【００１１】
さらに、本発明の物品支持装置によれば、第１及び第２の連結具がボールジョイントを備えていることから、保持体に対する物品支持体の角度を無段階的に調整することができる。
【００１２】
さらに、本発明の物品支持装置によれば、少なくとも物品支持体を透明な材料で形成したことから、この物品支持体で支持した物品をより一層目立たせることができ、物品の展示機能のさらなる向上を実現する。
【実施例】
【００１３】
図１及び図２は、本発明の物品支持装置の一実施例を説明する図である。図示の物品支持装置Ａ１は、図２（ａ）中に仮想線で示す物品Ｍを支持する物品支持体１と、物品支持体１を保持するための保持体２と、保持体２に対する物品支持体１の角度を調整する角度調整手段３を備えている。
【００１４】
物品支持体１、保持体２及び角度調整手段３は、その材料がとくに限定されるものではないが、例えば合成樹脂製であり、また、適宜の着色や装飾を施すことが可能であるが、好ましい例として、少なくとも物品支持体１が透明な材料で形成してある。そして、この実施例では、物品支持体１、保持体２及び角度調整手段３が互いに一体化してある。
【００１５】
物品支持体１は、上方に開放された矩形箱状の受け部１ａを備えると共に、受け部１ａにおける竪面の一つを上方に延長してこれを支持板１ｂとし、支持板１ｂの背面中央に角度調整手段３が連結してある。
【００１６】
保持体２は、平板部材の中間部を曲成したクリップ状を成すものであって、平板状の本体部２ａと、本体部２ａの上部に円弧を介して連続して本体部２ａの背面に対向する係止部２ｂを有し、本体部２ａの正面中央に角度調整手段３が連結してある。この保持体２は、係止部２ｂが本体部２ａから離間する方向に弾性変形可能であり、図１に示す竪壁状の構造物Ｂ１に対して上側から係止部２ｂを係止する。
【００１７】
角度調整手段３は、物品支持体１への連結部１１Ａを有する第１連結具１１と、保持体２への連結部１２Ａを有し且つ第１連結具１１に対して角度調整可能に連結した第２連結具１２を備えている。第１連結具１１は、コ字形状を成す部材であって、中間片の背面を連結部１１Ａとし、この連結部１１Ａを接着剤等により物品支持体１に固定する。第２連結具１２は、一部を開放した中空状の部材であって、第１連結具１１の両側片の間に入り込む大きさを有すると共に、平面状の連結部１２Ａを有し、この連結部１２Ａを接着剤等により保持体２に固定する。
【００１８】
ここで、角度調整手段３は、第１及び第２の連結具１１，１２を回動自在に連結する回動軸４を備えると共に、第１及び第２の連結具１１，１２に、回動軸４の同心円上に配置したラチェット歯列５と、ラチェット歯列５に係合するラチェット爪６を相対的に備えている。
【００１９】
とくにこの実施例では、図２（ｂ）に示すように、第１連結具１１に、両側片の間に跨る状態で回転軸４が固定してある。この回転軸４は、一端部にフランジ４ａを有すると共に、他端部に、弾性変形する一対の係止片４ｂが設けてあり、第１連結具１１の両側片の間に介在する第２連結具１２を回動自在に保持している。
【００２０】
また、第２連結具１２には、回動軸４が貫通した端面に、回動軸４を中心にしてラチェット歯列５が形成してある。これに対して、回動軸４の係止片４ｂには、円周方向に等間隔で四個のラチェット爪６を備えたラチェットリング７が装着してあり、この状態でラチェット歯列５にラチェット爪６が係合する。
【００２１】
上記構成を備えた角度調整手段３は、第１及び第２の連結具１１，１２が回動軸４を中心にして相対的に回動可能であり、この際、ラチェット歯列５とラチェット爪６との係脱を伴って回動し、任意の回動位置においては、ラチェット歯列５とラチェット爪６との係合により第１及び第２の連結具１１，１２の角度を維持する。
【００２２】
なお、第１連結具１１には、回動軸４の係止片４ｂにラチェットリング７を装着するための開口部８が形成してある。この開口部８は、図２及び後述する図３並びに図５〜図７においては、ラチェット歯列５とラチェット爪６との関係を説明する都合上、円形で示しているが、図１に示すように、開口部８の形状をラチェット爪６を含むラチェットリング７と同じにすることで、第１連結具１１に対するラチェットリング７の回動を規制するのが良い。
【００２３】
上記構成を備えた物品支持装置Ａ１は、構造物Ｂ１に係止した保持体２に対して、角度調整手段３により物品支持体１の角度を自在に調整することで、物品支持体１で支持した物品Ｍの姿勢を自在に設定することができ、また、ラチェット歯列５及びラチェット爪６を備えた角度調整手段３を採用したことから、耐荷重性が向上したものとなり、調整した角度を確実に維持して物品Ｍを安定して支持することができる。
【００２４】
さらに、上記の物品支持装置Ａ１は、少なくとも物品支持体１を透明な材料で形成することで、この物品支持体１で支持した物品Ｍをより一層目立たせることができ、このような効果と上述した物品Ｍの支持に関する効果が得られることから、ＰＯＰ用品として非常に好適であり、物品の展示機能が高いものになる。
【００２５】
図３は、本発明の物品支持装置の他の実施例を説明する図である。なお、先の実施例と同一の構成部位は、同一符号を付して詳細な説明を省略する。
【００２６】
図示の物品支持装置Ａ２は、物品支持体２１が、支持板２１ｂと、その下部に連続する板状の受け部２１ａを備えており、保持体２２が、平板状を成している。この物品支持装置Ａ２は、例えば商品の陳列棚や陳列ケースといった構造物Ｂ２に載置して使用し、先の実施例と同様に、角度調整手段３により物品Ｍの姿勢を自在に設定することができる。
【００２７】
なお、上記構成の場合には、物品支持体２１において物品Ｍ側となる面や保持体２２の下面に滑り止めを設け、これにより支持機能を高めることも有効である。
【００２８】
図４は、本発明の物品支持装置の他の実施例を説明する図であって、とくに角度調整手段の他の例を示す図である。
【００２９】
図示の角度調整手段３３は、第１連結具３１と第２連結具３２を備えると共に、第１及び第２の連結具３１，３２の間に、ボール受けとこれに回動自在に係合する係合ボールとから成るボールジョイントを備えている。より具体的には、第１及び第２の連結具３１，３２は、互いの対向面に、突出部３１ａ，３２ａを有しており、各突出部３１ａ，３２ａに、内側を球面状としたボール受け３１ｂ，３２ｂが形成してある。
【００３０】
そして、両連結具３１，３２は、両端に係合ボール３４，３４を設けた連結アーム３５を用い、各係合ボール３４，３４を夫々のボール受け３１ｂ，３２ｂに嵌合することで連結してある。このとき、ボール受け３１ｂ，３２ｂと係合ボール３４，３４は、互いに所定の摩擦力をもって接触しており、この摩擦力に抗して回動させることができると共に、その摩擦力により任意の回動位置を保つことができる。
【００３１】
上記の角度調整手段３３は、ボールジョイントを採用したことから、保持体に対する物品支持体の角度、すなわち物品支持体で支持した物品の姿勢を無段階的に調整することができる。また、例えば、第１及び第２の連結具３１，３２のいずれか一方にボール受けを設けると共に、他方に係合ボールを設けた構成にすることも可能であるが、上記したように両方の連結具３１，３２にボールジョイントを設けた構成にすれば、当然のことながら角度調整の自由度が増すこととなる。
【００３２】
図５は、本発明の物品支持装置のさらに他の実施例を説明する図である。なお、先の実施例と同一の構成部位は、同一符号を付して詳細な説明を省略する。
【００３３】
図示の物品支持装置Ａ３は、角度調整手段３が、物品支持体１に対して着脱自在な構造になっている。この場合、保持体２及び角度調整手段３は、図２に示す実施例と同様の基本構成であるが、角度調整手段３を構成する第１連結具１１が、中間片の背面に、この背面よりも一回り大きいプレート状の連結部１１Ｂを備えている。
【００３４】
これに対して、物品支持体１は、図２に示す実施例と同様の基本構成であるが、支持板１ａの背面に、連結部１１Ｂが係脱可能な取付け部１ｃを備えている。この取付け部１ｃは、断面Ｌ形の部材を下向き開放のコ字形状に配置したものであって、その下側から第１連結具１１の連結部１１Ｂを係脱させることができる。
【００３５】
上記の物品支持装置Ａ３は、先の実施例と同様の効果を得ることができるうえに、角度調整手段３が物品支持体１に対して着脱自在であることから、複数種類の物品支持体と角度調整手段付の保持体を用意して、これらを選択的に使用することにより、各種の物品や様々な展示形態に対応することができ、物品の展示機能のさらなる向上を実現する。
【００３６】
図６は、本発明の物品支持装置のさらに他の実施例を説明する図である。なお、先の実施例と同一の構成部位は、同一符号を付して詳細な説明を省略する。
【００３７】
図示の物品支持装置Ａ４は、角度調整手段３が、保持体４２に対して着脱自在な構造になっている。この場合、物品支持体２１及び角度調整手段３は、図３に示す実施例と同様の基本構成であるが、角度調整手段３を構成する第２連結具１２が、凹状の連結部１２Ｂを備えている。
【００３８】
これに対して、保持体４２は、棒状の支柱４３と、支柱４３の下端部が嵌合する凹状の支柱支持部４４を備えた基板４５を備えており、支柱４３の上端部を第２連結具１２の連結部１２Ｂに対して係脱することができる。
【００３９】
上記の物品支持装置Ａ４は、先の実施例と同様の効果を得ることができるうえに、角度調整手段３が保持体４２に対して着脱自在であることから、複数種類の保持体と角度調整手段付の物品支持体を用意して、これらを選択的に使用することにより、各種の物品や様々な展示形態に対応することができ、物品の展示機能のさらなる向上を実現する。
【００４０】
図７は、本発明の物品支持装置のさらに他の実施例を説明する図である。なお、先の実施例と同一の構成部位は、同一符号を付して詳細な説明を省略する。
【００４１】
図示の物品支持装置Ａ５は、角度調整手段３に対して、物品支持体１及び保持体４２の両方が着脱自在な構造になっている。この場合、物品支持体１と角度調整手段３との着脱は、図５に示す実施例と同様に、物品支持体１の取付け部１ｃと第１連結具１１のプレート状の連結部１１Ｂとにより行われ、保持体４２と角度調整手段３との着脱は、図６に示す実施例と同様に、保持体４２の支柱４３と第２連結具１２の凹状の連結部１２Ｂとにより行われる。
【００４２】
上記の物品支持装置Ａ５は、先の実施例と同様の効果を得ることができるうえに、角度調整手段３に対して物品支持体１及び保持体４２の両方が着脱自在であることから、複数種類の物品支持体、保持体及び角度調整手段を用意して、これらを選択的に使用することで、より多くの種類の物品や展示形態に対応することができ、物品の展示機能が著しく高められることとなる。
【００４３】
なお、本発明に係わる物品支持装置は、構成の細部が上記各実施例に限定されるものではなく、本発明の要旨を逸脱しない範囲で変更することが可能であり、例えば、上記各実施例で説明した物品支持体、保持体及び角度調整手段もしくは各実施例以外の構成を適宜組合わせ、互いに一体化したり着脱自在としたりすることができる。
【図面の簡単な説明】
【００４４】
【図１】本発明の物品支持装置の一実施例を説明する斜視図である。
【図２】図１に示す物品支持装置の側面図（ａ）、及び角度調整手段の断面図（ｂ）である。
【図３】本発明の物品支持装置の他の実施例を説明する側面図である。
【図４】本発明の物品支持装置のさらに他の実施例を説明する断面図である。
【図５】本発明の物品支持装置のさらに他の実施例を説明する組立前の部分破断側面図（ａ）、物品保持体の部分的な背面図（ｂ）、及び組立後の側面図（ｃ）である。
【図６】本発明の物品支持装置のさらに他の実施例を説明する組立前の部分破断側面図（ａ）、及び組立後の側面図（ｂ）である。
【図７】本発明の物品支持装置のさらに他の実施例を説明する側面図である。
【符号の説明】
【００４５】
Ａ１〜Ａ５      物品支持装置
Ｍ              物品
１  ２１        物品支持体
２  ２２  ４２  保持体
３  ３３        角度調整手段
４              回動軸
５              ラチェット歯列
６              ラチェット爪
１１Ａ  １１Ｂ  連結部
１１  ３１      第１連結具
１２Ａ  １２Ｂ  連結部
１２  ３２      第２連結具
３１ｂ  ３２ｂ  ボール受け
３４            係合ボール
【図１】
2006204544.tif 000003
【図２】
2006204544.tif 000004
【図３】
2006204544.tif 000005
【図４】
2006204544.tif 000006
【図５】
2006204544.tif 000007
【図６】
2006204544.tif 000008
【図７】
2006204544.tif 000009